(57)【特許請求の範囲】
【請求項１】
筒状の口部を有する容器本体と、前記口部に装着されるキャップと、を備える容器であって、
前記口部は、雄ねじと、該雄ねじの下方に周設された環状のビード部と、を有し、
前記キャップは、前記雄ねじと螺合する雌ねじが形成された環状のスカート壁と、前記スカート壁の下端部に設けられた環状のタンパーエビデンスバンドと、を有し、
前記タンパーエビデンスバンドは、前記ビード部に上方から押し付けられることで弾性変形して前記ビード部を下方に乗り越える弾性変形部を有し、
前記口部の前記雄ねじの係合上端部から前記ビード部までの第１間隔は、前記キャップの前記雌ねじの係合下端部から前記タンパーエビデンスバンドの前記弾性変形部までの第２間隔よりも大きく、
前記ビード部の上面の傾斜角度を３０°以上としたことを特徴とする容器。
【請求項２】
前記第１間隔及び前記第２間隔の大きさは、前記雌ねじが前記雄ねじと５ｍｍ以上に亘って係合したときに前記タンパーエビデンスバンドの前記弾性変形部が前記ビード部に当接するように、設定されている、請求項１に記載の容器。
【発明の詳細な説明】
【技術分野】
【０００１】
本発明は、容器に関する。
【背景技術】
【０００２】
従来、筒状の口部を有する容器本体と、口部に装着されるキャップと、を備える容器であって、開封履歴を表示するためのタンパーエビデンスバンド（以下、ＴＥバンドともいう）がキャップに設けられたものが知られている（例えば特許文献１参照）。【０００３】
このようなＴＥバンドはフラップ片などの弾性変形部を有している。そして、この弾性変形部は、容器の製造工程において、例えばキャッパのキャッピングヘッドにより、キャップに所定の大きさの押し付け力（トップロード）を付与しながら行われるキャッピング時に、口部に設けられたビード部に押し付けられて弾性変形し、ビード部を乗り越えるようになっていた。
【先行技術文献】
【特許文献】
【０００４】
【特許文献１】特開２００８−７１３０号公報
【発明の概要】
【発明が解決しようとする課題】
【０００５】
しかしながら、このような従来の容器では、ＴＥバンドの弾性変形部が口部のビード部に押し付けられるときにキャップが傾き、キャップが斜めにねじ込まれてしまう場合があった。このようなキャップの斜め被りは、特に、口部の直径が３０ｍｍ以上となる広口容器の場合に発生し易い傾向があった。【０００６】
本発明は、前記の現状に鑑み開発されたもので、タンパーエビデンスバンドが設けられたキャップの斜め被りの発生を抑制できる容器を提供することを目的とする。
【課題を解決するための手段】
【０００７】
本発明に係る容器は、
筒状の口部を有する容器本体と、前記口部に装着されるキャップと、を備え、
前記口部は、雄ねじと、該雄ねじの下方に周設された環状のビード部と、を有し、
前記キャップは、前記雄ねじと螺合する雌ねじが形成された環状のスカート壁と、前記スカート壁の下端部に設けられた環状のタンパーエビデンスバンドと、を有し、
前記タンパーエビデンスバンドは、前記ビード部に上方から押し付けられることで弾性変形して前記ビード部を下方に乗り越える弾性変形部を有し、
前記口部の前記雄ねじの係合上端部から前記ビード部までの第１間隔は、前記キャップの前記雌ねじの係合下端部から前記タンパーエビデンスバンドの前記弾性変形部までの第２間隔よりも大きく、
前記ビード部の上面の傾斜角度を３０°以上としたことを特徴とする。
【０００９】
さらに、本発明に係る容器では、前記第１間隔及び前記第２間隔の大きさは、前記雌ねじが前記雄ねじと５ｍｍ以上に亘って係合したときに前記タンパーエビデンスバンドの前記弾性変形部が前記ビード部に当接するように、設定されていることが好ましい。
【発明の効果】
【００１０】
本発明によれば、タンパーエビデンスバンドが設けられたキャップの斜め被りの発生を抑制できる容器を提供することができる。
【図面の簡単な説明】
【００１１】
【図１】本発明の一実施形態に係る容器の容器本体を示す図であり、（ａ）は口部の平面図、（ｂ）は口部の側面図である。
【図２】図１に示す容器本体の口部に装着されるキャップを示す図であり、（ａ）はキャップの平面図、（ｂ）はキャップの側面図である。
【図３】（ａ）は図２（ａ）のＡ−Ａ断面図、（ｂ）は図２（ｂ）のＢ−Ｂ断面図である。
【図４】図１に示す容器本体の口部に、図２に示すキャップを装着するときの様子を示す一部断面側面図であり、キャップのねじ込みに伴ってタンパーエビデンスバンドの弾性変形部が初めてビード部に当接した時点の様子を示す。
【図５】図４の一部拡大図である。
【図６】図１に示す容器本体の口部に、図２に示すキャップを装着するときの様子を示す一部断面側面図であり、キャップの雌ねじのねじ山本体と、容器本体の雄ねじのねじ山本体との係合が開始した時点の様子を示す。
【図７】図６の一部拡大図である。
【図８】図１に示す容器本体の口部に、図２に示すキャップを装着するときの様子を示す一部断面側面図であり、キャップの装着完了時の様子を示す。
【発明を実施するための形態】
【００１２】
以下、図面を参照して、本発明の一実施形態に係る容器について詳細に例示説明する。なお、本明細書において、口部について上下方向とは、口部の雄ねじの中心軸線に沿う方向（すなわち、図４における上下方向）を意味し、上方とは口部の開口端部側であり、下方とは胴部側である。また、キャップについて上下方向とは、キャップの雌ねじの中心軸線に沿う方向（すなわち、図４における上下方向）を意味し、上方とは頂壁側であり、下方とはタンパーエビデンスバンド側である。
【００１３】
本実施形態に係る容器は、図１に示すような容器本体１と、図２〜図３に示すようなキャップ２と、を備えている。
【００１４】
容器本体１は、例えば、ポリプロピレン（ＰＰ）やポリエチレンテレフタレート（ＰＥＴ）等の熱可塑性の樹脂を原材料とするブロー成形によって形成することができる。そして、容器本体１は、内容物を収容する収容空間に連なる円筒状の口部３と、口部３に連なると共に口部３よりも拡径した胴部と、胴部の下端部を閉塞する底部と、を備えている。
【００１５】
口部３は、円筒状をなす口部周壁４と、口部周壁４の外周面に沿って形成された雄ねじ５と、口部周壁４の外周面における雄ねじ５の下方部分に周設された円環状のビード部６と、口部周壁４の外周面におけるビード部６の下方部分に周設された円環状のネックリング７と、を備えている。
【００１６】
本実施形態では、雄ねじ５は、２条以上となる多条ねじ（図示する場合では４条ねじ）として構成されている。しかしながら、雄ねじ５は、１条ねじとして構成してもよい。また、図示する場合では、雄ねじ５の各ねじ山は、ねじ山の上側の先端部に位置するとともに先端側に向けてねじ山の高さ（径方向の寸法）及び幅（上下方向の寸法）が漸次縮小するねじ山上端部８と、ねじ山の下側の先端部に位置するとともに先端側に向けてねじ山の高さ及び幅が漸次縮小するねじ山下端部９と、ねじ山上端部８とねじ山下端部９との間に位置するねじ山本体１０と、を備えている。
【００１７】
ねじ山本体１０は、図示する場合では、縦断面形状（中心軸線Ｏ１を含む平面による断面における形状）が周方向に同一となる形状を有している。しかしながら、各ねじ山本体１０は、縦断面形状が周方向に変化する形状を有する構成としてもよい。また、各ねじ山本体１０は、図示する場合では周方向に連続して設けられているが、周方向に間欠状に設けてもよい。
【００１８】
なお、ねじ山上端部８やねじ山下端部９を設けず、ねじ山本体１０のみによって、各ねじ山を構成してもよい。また、ねじ山本体１０と、ねじ山上端部８及びねじ山下端部９の一方とによって、各ねじ山を構成してもよい。
【００１９】
ビード部６は、口部周壁４の外周面から径方向に突出するとともに、中心軸線Ｏ１を中心とする円環状をなしている。ビード部６は、図示する場合では周方向に連続して設けられているが、周方向に間欠状に設けてもよい。また、ビード部６は、水平面に対する傾斜角度θ（図示の場合では４６°）を有する円錐状の上面１１と、水平面と平行な下面１２と、上面１１と下面１２とを繋ぐ側面１３と、を有している。なお、ビード部６の上面１１の形状は適宜変更が可能である。例えば、上面１１の縦断面形状（中心軸線Ｏ１を含む平面による断面における形状）は、直線状に限らず、曲線状であってもよいし、直線と曲線の組み合せであってもよい。
【００２０】
本実施形態では、容器本体１は、口部周壁４の外周面の直径が３０ｍｍ以上（図示の場合では６０ｍｍ）となる広口容器として構成されている。容器本体１は、飲料又は食品を収容するために用いられるが、薬品等、その他の種々の内容物を収容する構成とすることも可能である。
【００２１】
図２〜図３に示すように、キャップ２は、雄ねじ５に螺合する雌ねじ１４が形成された円環状のスカート壁１５を有している。より具体的には、雌ねじ１４は、該雌ねじ１４の中心軸線Ｏ２を中心とする円筒状をなすスカート壁１５の内周面に沿って形成されている。スカート壁１５の上端部には、円板状の頂壁１６の外周縁が一体に連なっている。頂壁１６の底面にはパッキン１７が配置されている。
【００２２】
雌ねじ１４は、図示する場合では、雄ねじ５に対応する４条ねじとして構成されている。また、図示する場合では、雌ねじ１４の各ねじ山は、ねじ山の上側の先端部に位置するとともに先端側に向けてねじ山の高さ（径方向の寸法）及び幅（上下方向の寸法）が漸次縮小するねじ山上端部１８と、ねじ山の下側の先端部に位置するとともに先端側に向けてねじ山の高さ及び幅が漸次縮小するねじ山下端部１９と、ねじ山上端部１８とねじ山下端部１９との間に位置するねじ山本体２０と、を備えている。
【００２３】
ねじ山本体２０は、図示する場合では、縦断面形状（中心軸線Ｏ２を含む平面による断面における形状）が周方向に同一となる形状を有している。しかしながら、各ねじ山本体２０は、縦断面形状が周方向に変化する形状を有する構成としてもよい。また、各ねじ山本体２０は、図示する場合では周方向に連続して設けられているが、周方向に間欠状に設けてもよい。
【００２４】
なお、ねじ山上端部１８やねじ山下端部１９を設けず、ねじ山本体２０のみによって、各ねじ山を構成してもよい。また、ねじ山本体２０と、ねじ山上端部１８及びねじ山下端部１９の一方とによって、各ねじ山を構成してもよい。
【００２５】
スカート壁１５の下端部には、円環状のタンパーエビデンスバンド２１が設けられている。タンパーエビデンスバンド２１は、円筒状のバンド本体２２と、バンド本体２２の下端部において内周側に折り返され、径方向内側に向けて上方へ延在するフラップ片２３とを有している。バンド本体２２の上端部は、スカート壁１５の下端部に、中心軸線Ｏ２の周りに間隔を空けて周設された破断可能な複数のブリッジからなる破断予定部２４を介して、接続されている。
【００２６】
本実施形態では、フラップ片２３は、ビード部６に上方から押し付けられることで弾性変形してビード部６を下方に乗り越える弾性変形部２５として機能する。なお、フラップ片２３の形状は図示する場合のものに限られず、また、弾性変形部２５として、フラップ片２３以外の構成を採用してもよい。
【００２７】
なお、キャップ２は、本実施形態では、頂壁１６、スカート壁１５及びタンパーエビデンスバンド２１からなるキャップ本体２６と、パッキン１７と、からなる２部品構成となっているが、パッキン１７もキャップ本体２６に一体に形成する１部品構成としてもよい。また、頂壁１６の形態は図示する場合のものに限られない。例えば、頂壁１６の中央に円形等の開口部が形成されており、当該開口部が、パッキン１７によって閉塞されるように構成してもよい。なお、キャップ２は、樹脂材料による射出成形等によって形成することができる。
【００２８】
図４〜図５に、例えばキャッパのキャッピングヘッド（図示省略）等によって、キャップ２を口部３に装着させる際に、キャップ２のねじ込みに伴ってタンパーエビデンスバンド２１の弾性変形部２５が初めてビード部６に当接した時点の様子を示す。図４の一部拡大図である図５に示すように、本実施形態では、口部３の雄ねじ５の係合上端部Ｕｐからビード部６までの第１間隔Ｄ１は、キャップ２の雌ねじ１４の係合下端部Ｌｐからタンパーエビデンスバンド２１の弾性変形部２５までの第２間隔Ｄ２よりも大きくなっている。
【００２９】
ここで、「雄ねじ５の係合上端部Ｕｐ」とは、図５に示すように、係合上端側接触領域Ｕｒの径方向中央に位置する点を意味する。ここで、係合上端側接触領域Ｕｒは、雄ねじ５のねじ山本体１０の上端（中心軸線Ｏ１に沿う方向における上端）と中心軸線Ｏ１とを含む平面が、当該ねじ山本体１０の直下に位置する雄ねじ５の他のねじ山本体１０（雄ねじ５を１条ねじとして構成した場合には、「当該」ねじ山本体１０）の上面と交わるときの交線からなる線状領域の一部分であって、キャップ２のねじ付け時に雌ねじ１４のねじ山本体２０の下面と接する部分である。また、「ビード部６までの第１間隔Ｄ１」とは、ビード部６の上面１１における、タンパーエビデンスバンド２１の弾性変形部２５が初めて当接する部分までの上下方向の間隔を意味する。
【００３０】
また、「キャップ２の雌ねじ１４の係合下端部Ｌｐ」とは、図７に示すように、係合下端側接触領域Ｌｒの径方向中央に位置する点を意味する。ここで、係合下端側接触領域Ｌｒは、雌ねじ１４のねじ山本体２０の下端（中心軸線Ｏ２に沿う方向における下端）と中心軸線Ｏ２とを含む平面が、当該ねじ山本体２０の下面と交わるときの交線からなる線状領域の一部分であって、雄ねじ５のねじ山本体１０の上面と接する部分である。また、「タンパーエビデンスバンド２１の弾性変形部２５までの第２間隔Ｄ２」とは、弾性変形部２５の下面における、初めてビード部６に当接する部分までの上下方向の間隔を意味する。
【００３１】
このように、本実施形態では、第１間隔Ｄ１を第２間隔Ｄ２よりも大きくすることにより、雄ねじ５に雌ねじ１４が係合したとき（すなわち、雄ねじ５のねじ山本体１０に雌ねじ１４のねじ山本体２０が係合したとき）に、初めて、タンパーエビデンスバンド２１の弾性変形部２５がビード部６に当接するように構成されている。
【００３２】
すなわち、キャップ２の雌ねじ１４のねじ山本体２０と、容器本体１の雄ねじ５のねじ山本体１０との係合が開始した時点では、図６〜図７に示すように、タンパーエビデンスバンド２１の弾性変形部２５は、ビード部６に当接しない。
【００３３】
したがって、本実施形態によれば、タンパーエビデンスバンド２１の弾性変形部２５がビード部６に触らずにキャップ２の雌ねじ１４と容器本体１の雄ねじ５が先にかみ合い、このねじのサポートでタンパーエビデンスバンド２１の弾性変形部２５をビード部６に押し付けてビード部６を乗り越えさせ、図８に示すように、キャップ２を装着することができる。
【００３４】
このように本実施形態では、弾性変形部２５がビード部６に押し付けられるときには雄ねじ５と雌ねじ１４が係合しているため、弾性変形部２５のビード部６への押し付けに伴うキャップの傾きの発生が抑制され、もって、キャップ２の斜め被りの発生を抑制することができる。
【００３５】
また、第１間隔Ｄ１及び第２間隔Ｄ２の大きさは、雌ねじ１４が雄ねじ５と５ｍｍ以上に亘って係合したとき（すなわち、雌ねじ１４のねじ山本体２０が雄ねじ５のねじ山本体１０と周方向に５ｍｍ以上に亘って係合したとき）に、タンパーエビデンスバンド２１の弾性変形部２５がビード部６に当接するように設定することが好ましい。
【００３６】
すなわち、図５に示すように、弾性変形部２５がビード部６に初めて当接する時の係合長さＬ（すなわち、雄ねじ５の係合上端部Ｕｐと雌ねじ１４の係合下端部Ｌｐとの間の周方向に沿った間隔）は、５ｍｍ以上とすることが好ましい。このように係合長さＬを５ｍｍ以上とすることで、広口容器の場合でもキャップ２の斜め被りの発生を特に効果的に抑制することができる。また、係合長さＬは、１３ｍｍ以上とすることがより好ましく、このように１３ｍｍ以上とした場合には、より効果を発揮することができる。
【００３７】
また、本実施形態では、ビード部６の上面１１の傾斜角度θ（図１参照）を、３０°以上とすることが好ましい。このように、傾斜角度θを３０°以上とすることで、ビード部６の上面１１における、タンパーエビデンスバンド２１の弾性変形部２５が初めて当接する部分の位置を、通常よりも下方へずらすことができる。したがって、第２間隔Ｄ２には影響を与えることなく、第１間隔Ｄ１を通常よりも大きくすることができるため、弾性変形部２５がビード部６に初めて当接する時の係合代を確保し易くすることができる。
【００３８】
前述したところは本発明の一実施形態を示したにすぎず、特許請求の範囲において、種々の変更を加えてよいことは言うまでもない。
【符号の説明】
【００３９】
１    容器本体
２    キャップ
３    口部
４    口部周壁
５    雄ねじ
６    ビード部
７    ネックリング
８    雄ねじのねじ山上端部
９    雄ねじのねじ山下端部
１０  雄ねじのねじ山本体
１１  ビード部の上面
１２  ビード部の下面
１３  ビード部の側面
１４  雌ねじ
１５  スカート壁
１６  頂壁
１７  パッキン
１８  雌ねじのねじ山上端部
１９  雌ねじのねじ山下端部
２０  雌ねじのねじ山本体
２１  タンパーエビデンスバンド
２２  バンド本体
２３  フラップ片
２４  破断予定部
２５  弾性変形部
２６  キャップ本体
Ｏ１  口部の雄ねじの中心軸線
Ｏ２  キャップの雌ねじの中心軸線
Ｕｐ  雄ねじの係合上端部
Ｕｒ  係合上端側接触領域
Ｌｐ  雌ねじの係合下端部
Ｌｒ  係合下端側接触領域
Ｄ１  第１間隔
Ｄ２  第２間隔
Ｌ    係合長さ
【図１】
0006752535.tif 000002
【図２】
0006752535.tif 000003
【図３】
0006752535.tif 000004
【図４】
0006752535.tif 000005
【図５】
0006752535.tif 000006
【図６】
0006752535.tif 000007
【図７】
0006752535.tif 000008
【図８】
0006752535.tif 000009